(57)【要約】      （修正有）【課題】三方向ラチェットスパナを提供する。【解決手段】駆動部に握持部が接続され、該駆動部に第１収容部があり、該駆動部と該握持部間に第２収容部とそれに接続された第３収容部がある本体と、該第１収容部内で回転可能で外周面に歯があるラチェットと、二つの係止部材であって、該本体の該第２収容部内の二端にスライド可能に設けられ、該ラチェットに対向する一側に歯があり、該二つの係止部材の対向端の上面に案内部があり、該二つの係止部材間に弾性体がある、上記二つの係止部材と、該本体の第３収容部内に枢設され、内側の一端に該二つの係止部材の二つの案内部に対応する方向制御部があり、該方向制御部の２外端角と該制御部材の回転中心との接続線の夾角が１００度以下である制御部材、を包含し、該制御部材が三つ以上の操作位置間で移動可能で、該制御部材が中間位置にある時、係止部材の歯をラチェットの歯に噛み合わせる。【選択図】図２
0003146712.tif 000002
【実用新案登録請求の範囲】
【請求項１】
三方向ラチェットスパナにおいて、
本体であって、一端に駆動部が設けられ、該駆動部に握持部が接続され、該駆動部に第１収容部が設けられ、該駆動部と該握持部間に第２収容部と該第２収容部に接続された第３収容部が設けられた、上記本体と、
ラチェットであって、該第１収容部内に回転可能に設けられて外周面に環状に歯が設けられた、上記ラチェット、
二つの係止部材であって、該本体の該第２収容部内の二端にスライド可能に設けられ、該ラチェットに対向する一側に歯が設けられ、該二つの係止部材の対向端の上面に案内部があり、該二つの係止部材間に弾性体が設けられた、上記二つの係止部材と、
制御部材であって、該本体の第３収容部内に枢設され、内側の一端に該二つの係止部材の二つの案内部に対応する方向制御部があり、該方向制御部の２外端角と該制御部材の回転中心との接続線の夾角が１００度以下である、上記制御部材と、
を具え、該制御部材が少なくとも三つの操作位置間で移動可能で、該制御部材が中間位置にある時、該方向制御部は該二つの係止部材の二つの該案内部を駆動せず、該二つの係止部材の歯がそれぞれ該ラチェットの歯に噛み合う、三方向ラチェットスパナ。
【請求項２】
請求項１記載の三方向ラチェットスパナにおいて、該本体の第１収容部の内周面の一端に凹溝が環状に設けられ、該ラチェットの外周面の一端に凹溝が環状に設けられ、これら二つの凹溝の間にＣ形スナップリングが設けられ、該ラチェットが該本体の第１収容部に結合されたことを特徴とする、三方向ラチェットスパナ。
【請求項３】
請求項１記載の三方向ラチェットスパナにおいて、該本体の第３収容部の中央に固定孔が設けられ、該制御部材の中央に孔が設けられ、固定ボルトが該制御部材の孔に挿通されて該固定孔にねじ込まれ、該制御部材が該本体に結合され、且つ該本体の第２収容部と第３収容部が閉じられたことを特徴とする、三方向ラチェットスパナ。
【請求項４】
請求項１記載の三方向ラチェットスパナにおいて、該本体の第３収容部に位置決め孔が設けられ、該位置決め孔に位置決め装置が収容され、該制御部材内側に、三つの隣り合う位置決め凹部が設けられ、該位置決め装置が該位置決め凹部内に嵌入して該制御部材を位置決めすることを特徴とする、三方向ラチェットスパナ。
【請求項５】
請求項４記載の三方向ラチェットスパナにおいて、該位置決め装置が弾性体とスチールビーズを包含することを特徴とする、三方向ラチェットスパナ。
【請求項６】
請求項１記載の三方向ラチェットスパナにおいて、該本体の第３収容部と第１収容部の間に非中空の連接部が形成されたことを特徴とする、三方向ラチェットスパナ。
【請求項７】
請求項１記載の三方向ラチェットスパナにおいて、該ラチェットの中央に駆動部が設けられ、該駆動部が固定部品の収容に供されることを特徴とする、三方向ラチェットスパナ。
【請求項８】
請求項１記載の三方向ラチェットスパナにおいて、該二つの係止部材の上面の案内部周囲に凹部が設けられたことを特徴とする、三方向ラチェットスパナ。
【請求項９】
請求項１記載の三方向ラチェットスパナにおいて、該二つの係止部材の対向端にそれぞれ孔が設けられ、該弾性体がこの二つの係止部材の対向端の孔間に設けられて、二つの係止部材間が弾性を具備することを特徴とする、三方向ラチェットスパナ。
【請求項１０】
請求項１記載の三方向ラチェットスパナにおいて、該制御部材の方向制御部より離れた一端にレバーが設けられたことを特徴とする、三方向ラチェットスパナ。
【請求項１１】
請求項１記載の三方向ラチェットスパナにおいて、該方向制御部の二外端角と該制御部材の回転中心間の接続線の夾角が７０度とされたことを特徴とする、三方向ラチェットスパナ。
【請求項１２】
請求項１記載の三方向ラチェットスパナにおいて、該方向制御部の二外端角の距離が該二つの係止部材の自然状態下での二つの案内部間の距離より大きいことを特徴とする、三方向ラチェットスパナ。
【請求項１３】
請求項１記載の三方向ラチェットスパナにおいて、該ラチェットにスリーブが結合される駆動部が設けられ、該駆動部内に嵌止装置が設けられ、スリーブが該駆動部に嵌止されることを特徴とする、三方向ラチェットスパナ。
【請求項１４】
請求項１記載の三方向ラチェットスパナにおいて、該ラチェットにスリーブが結合される駆動部が設けられ、該駆動部内にクイック嵌止装置が設けられ、スリーブと該駆動部間の相対移動関係が選択的に制限可能であることを特徴とする、三方向ラチェットスパナ。
【請求項１５】
請求項１３又は請求項１４記載の三方向ラチェットスパナにおいて、該ラチェットにスリーブが結合される駆動部が設けられ、該駆動部内にクイック嵌止装置が設けられ、スリーブと該駆動部間の相対移動関係が選択的に制限可能であることを特徴とする、三方向ラチェットスパナ。
【請求項１６】
三方向ラチェットスパナにおいて、
本体であって、一端に駆動部が設けられ、該駆動部に握持部が接続され、該駆動部に第１収容部が設けられ、該駆動部と該握持部間に第２収容部と該第２収容部に接続された第３収容部が設けられた、上記本体と、
ラチェットであって、該第１収容部内に回転可能に設けられて外周面に環状に歯が設けられた、上記ラチェット、
二つの係止部材であって、該本体の該第２収容部内の二端にスライド可能に設けられ、該ラチェットに対向する一側に歯が設けられ、該二つの係止部材にそれぞれ案内部があり、該二つの係止部材間に弾性体が設けられた、上記二つの係止部材と、
制御部材であって、該本体の第３収容部内に枢設され、少なくとも三つの操作位置間を移動可能で、該制御部材の内側の一端に、該二つの係止部材の二つの該案内部に対応する方向制御部が設けられ、該方向制御部の二外端角と該制御部材の回転中心間の接続線の夾角が１００度以下で、該方向制御部の二外端角間の距離が該二つの係止部材の該方向制御部による未駆動状態でのその二つの該案内部間の距離より大きい、上記制御部材と、
を包含したことを特徴とする、三方向ラチェットスパナ。
【請求項１７】
請求項１６記載の三方向ラチェットスパナにおいて、該本体の第１収容部の内周面の一端に凹溝が環状に設けられ、該ラチェットの外周面の一端に凹溝が環状に設けられ、これら二つの凹溝の間にＣ形スナップリングが設けられ、該ラチェットが該本体の第１収容部に結合されたことを特徴とする、三方向ラチェットスパナ。
【請求項１８】
請求項１６記載の三方向ラチェットスパナにおいて、該本体の第３収容部の中央に固定孔が設けられ、該制御部材の中央に孔が設けられ、固定ボルトが該制御部材の孔に挿通されて該固定孔にねじ込まれ、該制御部材が該本体に結合され、且つ該本体の第２収容部と第３収容部が閉じられたことを特徴とする、三方向ラチェットスパナ。
【請求項１９】
請求項１６記載の三方向ラチェットスパナにおいて、該本体の第３収容部に位置決め孔が設けられ、該位置決め孔に位置決め装置が収容され、該制御部材内側に、三つの隣り合う位置決め凹部が設けられ、該位置決め装置が該位置決め凹部内に嵌入して該制御部材を位置決めすることを特徴とする、三方向ラチェットスパナ。
【請求項２０】
請求項１９記載の三方向ラチェットスパナにおいて、該位置決め装置が弾性体とスチールビーズを包含することを特徴とする、三方向ラチェットスパナ。
【請求項２１】
請求項１６記載の三方向ラチェットスパナにおいて、該本体の第３収容部と第１収容部の間に非中空の連接部が形成されたことを特徴とする、三方向ラチェットスパナ。
【請求項２２】
請求項１６記載の三方向ラチェットスパナにおいて、該ラチェットの中央に駆動部が設けられ、該駆動部が固定部品の収容に供されることを特徴とする、三方向ラチェットスパナ。
【請求項２３】
請求項１６記載の三方向ラチェットスパナにおいて、該二つの係止部材の上面の案内部周囲に凹部が設けられたことを特徴とする、三方向ラチェットスパナ。
【請求項２４】
請求項１６記載の三方向ラチェットスパナにおいて、該二つの係止部材の対向端にそれぞれ孔が設けられ、該弾性体がこの二つの係止部材の対向端の孔間に設けられて、二つの係止部材間が弾性を具備することを特徴とする、三方向ラチェットスパナ。
【請求項２５】
請求項１６記載の三方向ラチェットスパナにおいて、該制御部材の方向制御部より離れた一端にレバーが設けられたことを特徴とする、三方向ラチェットスパナ。
【請求項２６】
請求項１６記載の三方向ラチェットスパナにおいて、該方向制御部の二外端角と該制御部材の回転中心間の接続線の夾角が７０度とされたことを特徴とする、三方向ラチェットスパナ。
【請求項２７】
請求項１６記載の三方向ラチェットスパナにおいて、該ラチェットにスリーブが結合される駆動部が設けられ、該駆動部内に嵌止装置が設けられ、スリーブが該駆動部に嵌止されることを特徴とする、三方向ラチェットスパナ。
【請求項２８】
請求項１６記載の三方向ラチェットスパナにおいて、該ラチェットにスリーブが結合される駆動部が設けられ、該駆動部内にクイック嵌止装置が設けられ、スリーブと該駆動部間の相対移動関係が選択的に制限可能であることを特徴とする、三方向ラチェットスパナ。
【請求項２９】
請求項２７又は請求項２８記載の三方向ラチェットスパナにおいて、該ラチェットにスリーブが結合される駆動部が設けられ、該駆動部内にクイック嵌止装置が設けられ、スリーブと該駆動部間の相対移動関係が選択的に制限可能であることを特徴とする、三方向ラチェットスパナ。
【考案の詳細な説明】
【技術分野】
【０００１】
本考案は一種のラチェットスパナに係り、特に一種の三方向ラチェットスパナに関する。
【背景技術】
【０００２】
特許文献１によると、ラチェットスパナはハンドル、駆動装置、定方向係止装置、及び方向選択装置を有する。該ハンドルの一端に結合孔、該結合孔に開放された収容溝及び収容溝に連通する結合溝を有する。該駆動装置は結合孔内に設置される。該定方向係止装置は該収容溝内に設置され、且つ駆動装置と相互に噛み合う。該方向選択装置は結合溝内に設置される。該方向選択装置は第１操作位置と第２操作位置の間を移動し、定方向係止装置を駆動して収容溝の一側に偏らせ、これにより制御装置をスパナの回転方向に対して制御する。
【０００３】
【特許文献１】台湾特許公告第５８９２４１号明細書
【考案の開示】
【考案が解決しようとする課題】
【０００４】
上記周知のラチェットスパナは２方向回転の機能を有するが、使用者が固定部品に対して締めつけの微調整を行なう場合、不断に固定部品を締めつけるか、或いは緩めて、適当な締めつけ具合に調整しなければならず、使用者は頻繁に制御部材を切り換えてラチェットスパナの回転方向を変更しなければならず、操作使用上、手間、時間がかかり、速やかに締めつけの微調整が行なえず、並びに業者の使用要求に符合しない。
【０００５】
特許文献１の図５によると、該制御部材の制御溝の二つの外端角とピン（制御部材の回転中心）間の接続線の夾角が約１２０度とされ、該制御溝の左外端角と左方向ブロックのスライド案内部とピン間の接続線の夾角は約５０度であり、該制御溝の開口角度が大きすぎるため、制御部材の左外端角は約５０度回転した後でなければ、左方向ブロックのスライド案内部に接触できない。この空転行程のために制御部材の二つの操作位置間の切り換え時に必要なスイング角度が大きくなり、切り換えに時間がかかり不便である。
【課題を解決するための手段】
【０００６】
本考案は三方向ラチェットスパナを提供し、それは、駆動部に握持部が接続され、該駆動部に第１収容部があり、該駆動部と該握持部間に第２収容部とそれに接続された第３収容部がある本体；該第１収容部内に回転可能に設けられて外周面に環状に歯があるラチェット；二つの係止部材であって、該本体の該第２収容部内の二端にスライド可能に設けられ、該ラチェットに対向する一側に歯があり、該二つの係止部材の対向端の上面に案内部があり、該二つの係止部材間に弾性体がある、上記二つの係止部材；制御部材であって、該本体の第３収容部内に枢設され、内側の一端に該二つの係止部材の二つの案内部に対応する方向制御部があり、該方向制御部の２外端角と該制御部材の回転中心との接続線の夾角が１００度以下で、該制御部材が三つ以上の操作位置間で移動可能で、該制御部材が中間位置にある時、該方向制御部は該案内部を駆動せず、二つの係止部材の歯はラチェットの歯と噛合する。
【考案の効果】
【０００７】
本考案は上述のラチェットスパナが、２方向の回転機能を有するが、固定式スパナとして使用できず、固定部品に対して締めつけの微調整を行なう時に、頻繁に制御部材の切り換えを行なわねばならず、且つが制御部材の方向制御部の制御溝の開口角度が大きすぎるために、該制御部材の外端角が約５０度回転してからでなければ方向ブロックのスライド案内部に接触できず、この空転行程のために制御部材の二つの操作位置間の切り換え時に必要なスイング角度が大きくなり、操作使用上、比較的時間がかかり不便であるという問題を解決する。
【考案を実施するための最良の形態】
【０００８】
図１、２を参照されたい。本考案の三方向ラチェットスパナの好ましい実施例は、本体１０、ラチェット２０、二つの係止部材３０、制御部材４０を包含する。
該本体１０の一端に駆動部１１が設けられ、該駆動部１１に使用者により握持される握持部１２が接続されている。該本体１０の該駆動部１１に第１収容部１３が設けられ、第１収容部１３の内周面の１端に環状に凹溝１３１が設けられている。該駆動部１１と握持部１２の間に円弧形を呈する第２収容部１４と、該第２収容部１４と接続された第３収容部１５が設けられている。該第３収容部１５の中央に固定孔１５１と位置決め孔１５２が設けられ、該位置決め孔１５２に位置決め装置１７が収容され、該位置決め装置１７は弾性体１７１とスチールビーズ１７２を有する。該第３収容部１５と第１収容部１３の間に非中空の連接部１６が形成されている。
【０００９】
該ラチェット２０は本体１０の第１収容部１３内に回転可能に設けられ、該ラチェット２０の中央に、固定部品を締めつけるための駆動部２１が設けられ、該ラチェット２０の外周面に相互に接続された複数の歯２２が設けられ、該ラチェット２０の外周面の１端に環状に凹溝２３が設けられる。図４も共に参照されたい。Ｃ形スナップリング２４がラチェット２０の凹溝２３と本体１０の凹溝１３１の間に設けられ、これによりラチェット２０が本体１０の第１収容部１３内に結合され、並びに本体１０と相対回転関係を発生可能とされる。
【００１０】
該二つの係止部材３０は、スライド可能に本体１０の第２収容部１４内の２端に設けられ、該二つの係止部材３０のラチェット２０に対向する１側に、歯２２に対応する複数の歯３１が設けられ、該二つの係止部材３０の対向端の上面に、案内部３２と該案内部３２の周囲の凹部３３が設けられ、該二つの係止部材３０の対向端にそれぞれ孔３４が設けられ、弾性体３５がこれら孔３４内に収容され、これにより二つの係止部材３０間が弾性を具備するものとされる。
【００１１】
該制御部材４０は本体１０の第３収容部１５内に枢設され、該制御部材４０の中央に孔４１が設けられ、図３も参照されたいが、該制御部材４０の内側の一端に、二つの係止部材３０の二つの案内部３２に対応する方向制御部４２が設けられ、該制御部材４０の内側の別端に、相互に隣り合う第１位置決め凹部４３、第２位置決め凹部４４及び第３位置決め凹部４５が設けられている。該制御部材４０の方向制御部４２から離れた一端に、レバー４６が設けられている。固定ボルト４７が制御部材４０の孔４１に挿入され、本体１０の固定孔１５１にねじ込まれ、これにより、制御部材４０が本体１０に結合され、且つ本体１０の第２収容部１４と第３収容部１５が閉じられる。この第１実施例中、該方向制御部４２はＷ形凹溝として実施される。
【００１２】
図５を参照されたい。該制御部材４０の方向制御部４２の二外端角と固定ボルト４７の中心（すなわち制御部材４０の回転中心）間の接続線の夾角は１００度以下であり、第１実施例中、該夾角は７０度とされている。且つ該方向制御部４２の幅（すなわち該二外端角間の距離）は該二つの係止部材３０の自然状態（すなわち案内部３２が方向制御部４２に駆動されていない状態）での二つの案内部３２間の距離よりやや大きい。
【００１３】
図５では更に該制御部材４０が第２操作位置（中間位置）に位置し、該位置決め装置１７のスチールビーズ１７２が制御部材４０の第２位置決め凹部４４内に嵌入し、該制御部材４０の方向制御部４２は該第２収容部１４の中間に対応する位置にある。該制御部材４０の方向制御部４２の二外端角は該二つの係止部材３０の凹部３３内に進入し、該二つの係止部材３０の二つの案内部３２はいずれも方向制御部４２による駆動を受けておらず、該二つの係止部材３０はそれぞれ第２収容部１４の壁面に当接し、該二つの係止部材３０の第１歯３１はそれぞれラチェット２０の歯２２に噛み合っている。このとき、該ラチェット２０は本体１０と相対回転関係を形成できず、この三方向ラチェットスパナは固定式スパナと同様に、時計周り、逆時計まわりの方向に固定部品を回すことができる。
【００１４】
図６を参照されたい。該制御部材４０は駆動を受けて第３操作位置に位置し、該位置決め装置１７のスチールビーズ１７２は制御部材４０の第３位置決め凹部４５内に嵌入している。該制御部材４０の方向制御部４２は右側の係止部材３０の案内部３２を駆動して、右側の係止部材３０の第１歯３１をラチェット２０の歯２２より分離させる。左側の係止部材３０は制御部材４０により未駆動で、第２収容部１４の壁面に当接し、このとき、ラチェットスパナは逆時計周りに固定部品を回すことができる。
【００１５】
図７を参照されたい。該制御部材４０は駆動されて第１操作位置に位置し、該位置決め装置１７のスチールビーズ１７２は制御部材４０の第１位置決め凹部４３内に嵌入している。該制御部材４０の方向制御部４２は左側係止部材３０の案内部３２を駆動し、左側係止部材３０の第１歯３１をラチェット２０の歯２２より分離させる。右側の係止部材３０は制御部材４０により駆動されておらず、第２収容部１４の壁面に当接し、このとき、該ラチェットスパナは手で時計周りに固定部品を回すことができる。該制御部材４０は少なくとも三つの操作位置間で移動可能である。
【００１６】
注意すべきことは、以下のとおりである。すなわち、該制御部材４０の方向制御部４２の二外端角と制御部材４０の回転中心間の接続線の夾角が１００度より小さいことにより、該制御部材４０が小さい角度を回転するだけでそのうち一つの係止部材３０を駆動でき、これにより制御部材４０の空転行程を減らせ、ラチェットスパナの方向切り換え時の時間を節約できることである。且つ、該方向制御部４２の幅は該二つの係止部材３０の自然状態で、二つの案内部３２間の距離よりやや大きく、これにより制御部材４０が第２操作位置にある時、該二つの係止部材３０の二つの案内部３２は方向制御部４２による駆動を受けず、これによりラチェットスパナは固定式スパナとして使用可能で、ラチェットスパナの実用性と便利性を高めることができる。
【００１７】
図８は本考案の第２実施例であり、第１実施例とほぼ同じであるが、違いは該制御部材４０の方向制御部４２の二外端角と制御部材４０の回転中心間の接続線の夾角が１００度で実施されていることである。該方向制御部４２の幅は同様に、該二つの係止部材３０の自然状態での二つの案内部３２間の距離より大きい。
【００１８】
図９は本考案の第３実施例を示し、第３実施例と第１実施例はほぼ同じであるが、その違いは、該ラチェット２０’の形態上の変更にある。該ラチェット２０’の外周に歯２２’及び凹溝２３’が環状に設けられ、該ラチェット２０’の別端に、スリーブ（図示せず）が結合される駆動部２１’が設けられ、該駆動部２１’内に嵌止装置２５’が設けられ、該嵌止装置２５’は駆動部２１’に組み合わされたスリーブを固定する。該ラチェット２０’の凹溝２３’と本体１０の凹溝１３１間にＣ形スナップリング２４’が設けられ、該ラチェット２０’は回転可能に本体１０の第１収容部１３内に結合される。この第３実施例中、該駆動部２１’は方形ヘッドとして実施される。
【００１９】
図１０は本考案の第４実施例を示し、該第４実施例と第１実施例はほぼ同じであり、その違いは、第４実施例のラチェット２０”の形態上の変更にある。該ラチェット２０”の外周面に環状に歯２２”と凹溝２３”が設けられ、該ラチェット２０”の別端にスリーブ（図示せず）が結合される駆動部２１”が設けられ、該ラチェット２０”内にクイック嵌止装置２５”が設けられ、該クイック嵌止装置２５”は選択的にスリーブと駆動部２１”間の相対移動関係を制限する。該ラチェット２０”の凹溝２３”と本体１０の凹溝１３１間にＣ形スナップリング２４”が設けられ、これにより、該ラチェット２０”が回転可能に本体１０の第１収容部１３内に結合される。該第４実施例中の該駆動部２１”は方形ヘッドとして実施される。
【図面の簡単な説明】
【００２０】
【図１】本考案の第１実施例の立体組合せ図である。
【図２】本考案の第１実施例の立体分解図である。
【図３】本考案の制御部材の下からの斜視図である。
【図４】図１の４−４線断面図である。
【図５】図１の５−５線断面図であり、制御部材が第２操作位置にある状態を示す。
【図６】図５に関係し、制御部材が第３操作位置にある状態を示す。
【図７】図５に関係し、制御部材が第１操作位置にある状態を示す。
【図８】本考案の第２実施例の横向き断面図である。
【図９】本考案の第３実施例の縦向き断面図である。
【図１０】本考案の第４実施例の縦向き断面図である。
【符号の説明】
【００２１】
１０  本体        １１  駆動部      １２  握持部      １３  第１収容部
１３１  凹溝      １４  第２収容部  １５  第３収容部  １５１  固定孔
１５２  位置決め孔  １６  連接部    １７  位置決め装置  １７１  弾性体
１７２  スチールビーズ              ２０  ラチェット    ２１  駆動部
２２  歯          ２３  凹溝        ２４  Ｃ形スナップリング
３０  係止部材    ３１  歯          ３２  案内部        ３３  凹部
４０  制御部材    ４１  孔          ４２  方向制御部    ４３  第１位置決め凹部
４４  第２位置決め凹部              ４５  第３位置決め凹部
４６  レバー      ４７  固定ボルト  ２０’  ラチェット
２１’駆動部      ２２’歯          ２３’凹溝        ２４’Ｃ形スナップリング
２５’嵌止装置    ２０”ラチェット  ２１”駆動部      ２２”歯
２３”凹溝        ２４”Ｃ形スナップリング            ２５”クイック嵌止装置
【図１】
0003146712.tif 000003
【図２】
0003146712.tif 000004
【図３】
0003146712.tif 000005
【図４】
0003146712.tif 000006
【図５】
0003146712.tif 000007
【図６】
0003146712.tif 000008
【図７】
0003146712.tif 000009
【図８】
0003146712.tif 000010
【図９】
0003146712.tif 000011
【図１０】
0003146712.tif 000012